(57)【特許請求の範囲】
【請求項１】
座部又は脚部から立ち上がった支持部に対して肘掛け部が高さ調節可能な椅子の肘掛け装置であって、前記支持部を支持アームと昇降体とより形成し、支持アームの上部に肘掛け部に取付けた筒状の昇降体を上下移動可能に配し、支持アームの上端部に延設した支持板の長手方向に沿って縦孔を形成し且つ該縦孔の前縁に一定間隔毎に係合凹部を形成するとともに、前記支持板の前縁から縦孔に連通する連通溝を形成し、前記昇降体の前部であって前記支持板に対応する位置に開口を形成するとともに、該開口に臨んだ内部に前後に延びたガイド部を形成し、前記開口の前面側からガイド部内に弾性体と内側作動部材を順次挿入し、昇降体に下方より前記支持板を挿入した状態で、前記開口の前面側から係合ピンと外側作動部材を挿入して該係合ピンを前記連通溝から係合凹部又は縦溝内に位置させ、前記係合ピンの両端部を一対の前記作動部材で前後から抱持して前後スライド可能となし、更に前記開口内に前後回動可能に上下一端部を枢着した操作レバーの遊端部を前記外側作動部材に当接してなることを特徴とする椅子の肘掛け装置。
【請求項２】
前記連通溝を前記係合凹部の何れかに連続するように形成してなる請求項１記載の椅子の肘掛け装置。
【請求項３】
前記連通溝を前記支持板の最上段に位置する係合凹部に連続するように形成してなる請求項１又は２記載の椅子の肘掛け装置。
【発明の詳細な説明】
【０００１】
【発明の属する技術分野】
本発明は、椅子の肘掛け装置に係わり、更に詳しくは肘掛け部が高さ調節可能な椅子の肘掛け装置に関する。
【０００２】
【従来の技術】
従来、椅子の座部又は脚部から立ち上がった支持部が伸長して肘掛け部が高さ調節可能なものは既に提供されている。そして、肘掛け部の高さ調節機構としては、前記支持部を支持アームと昇降体とより形成し、支持アームの上部に肘掛け部に取付けた筒状の昇降体を上下移動可能に配し、支持アームの上部の中央部に沿って縦孔を形成し且つ該縦孔の前縁に一定間隔毎に係合凹部を形成し、前記昇降体の前部に形成した開口内に、操作レバーを前後回動可能に上下一端部を枢着し、該操作レバーを突出方向へ弾性付勢するとともに、該操作レバーの遊端部若しくは該操作レバーと一体となって回転する部分に、前記係合凹部に係合する係合ピンを固定又は保持してなるものがある。
【０００３】
しかし、従来の肘掛け部の高さ調節機構は、肘掛け部に作用する下向きの荷重を、昇降体に枢着した操作レバーを介して係合ピンで受けるか、あるいは昇降体の内面に形成した横長溝に両端部が係合した係合ピンで受ける構造が殆どである。前者の場合には、操作レバーの枢着部の強度が要求されるため、通常は金属製の支軸を用いて枢着する必要があり、操作レバーの取付作業に手間がかかるとともに、肘掛け部に上下の力が作用した際に操作レバーがガタつくといった問題がある。一方、後者の場合には、昇降体の内面に横長溝を形成するには、昇降体を左右二つ割りにする必要が生じるとともに、昇降体の組立時に両横長溝と係合ピンの両端部を正確に位置決めしなければならず、組立作業に手間がかかるばかりでなく、肘掛け部の荷重を係合ピンと横長溝の点接触部で受けるので強度上の問題がある。何れの場合も、係合凹部又は縦孔に側方から係合ピンを挿入しなければならないといった組立工程上の制限がある。
【０００４】
【発明が解決しようとする課題】
本発明が前述の状況に鑑み、解決しようとするところは、肘掛け部の高さ調節機構を構成する部材の組立作業を簡単にし且つ製造コストの低減化が図れる椅子の肘掛け装置を提供する点にある。
【０００５】
【課題を解決するための手段】
本発明は、前述の課題解決のために、座部又は脚部から立ち上がった支持部に対して肘掛け部が高さ調節可能な椅子の肘掛け装置であって、前記支持部を支持アームと昇降体とより形成し、支持アームの上部に肘掛け部に取付けた筒状の昇降体を上下移動可能に配し、支持アームの上端部に延設した支持板の長手方向に沿って縦孔を形成し且つ該縦孔の前縁に一定間隔毎に係合凹部を形成するとともに、前記支持板の前縁から縦孔に連通する連通溝を形成し、前記昇降体の前部であって前記支持板に対応する位置に開口を形成するとともに、該開口に臨んだ内部に前後に延びたガイド部を形成し、前記開口の前面側からガイド部内に弾性体と内側作動部材を順次挿入し、昇降体に下方より前記支持板を挿入した状態で、前記開口の前面側から係合ピンと外側作動部材を挿入して該係合ピンを前記連通溝から係合凹部又は縦溝内に位置させ、前記係合ピンの両端部を一対の前記作動部材で前後から抱持して前後スライド可能となし、更に前記開口内に前後回動可能に上下一端部を枢着した操作レバーの遊端部を前記外側作動部材に当接してなる椅子の肘掛け装置を構成した。
【０００６】
ここで、前記連通溝を前記係合凹部の何れかに連続するように形成してなること、特に前記連通溝を前記支持板の最上段に位置する係合凹部に連続するように形成してなることが好ましいのである。
【０００７】
【発明の実施の形態】
次に本発明の実施形態を添付図面に基づき更に詳細に説明する。図１は本発明に係る椅子を示し、図２〜図８は本発明の要部を示し、図中符号１は椅子の脚部、２は座部、３は背凭れ部、４は肘掛け装置、５は支持部、６は肘掛け部をそれぞれ示している。
【０００８】
本発明の実施形態に係る肘掛け装置４は、座部２又は脚部１から立ち上がった支持部５に対して肘掛け部６を高さ調節可能且つ上下角度調節可能及び左右横移動、左右角度調節可能に設けたものである。しかし、本発明の肘掛け装置４は、高さ調節機構に特徴を有するので、肘掛け部６が上下角度調節可能及び左右横移動、左右角度調節可能であるかどうかは本質的ではない。
【０００９】
前記支持部５は、支持アーム７と昇降体８とより構成し、座部２に固定した支持アーム７の上部に、肘掛け部６に取付けた上下に開放した中空筒状の昇降体８を上下移動可能に外嵌した構造を有する。そして、前記支持アーム７と昇降体８との間には、支持アーム７に対して昇降体８の高さを調節し且つその高さを維持するための高さ調節機構が設けられている。
【００１０】
更に詳しく高さ調節機構を図２〜図８に基づいて説明する。高さ調節機構は、前記支持アーム７の上端部に延設した支持板９の中央部に沿って縦孔１０を形成し且つ該縦孔１０の前縁に一定間隔毎に係合凹部１１，…を形成し、前記昇降体８の前部であって前記支持板９に対応する位置に開口１２を形成するとともに、該開口１２に臨んだ内部に前後に延びたガイド部１３を形成し、該ガイド部１３内に前記係合凹部１１又は縦孔１０に貫通した係合ピン１４の両端部を前後から抱持する一対の作動部材１５，１６を前後スライド可能に設けるとともに、内方の作動部材１６と昇降体８の内壁１７間に圧縮コイルばねからなる弾性体１８を配して前方へ弾性付勢し、前記開口１２内に前後回動可能に上下一端部を枢着した操作レバー１９の遊端部を前記外側の作動部材１５に当接してなるものである。
【００１１】
前記支持アーム７は、金属製の支持板９を上端部の中央にインサート成形した合成樹脂製であり、下端部は前記座部２の両側部にネジ止めして垂直に立設したものである。
【００１２】
前記昇降体８は、合成樹脂製で一体成形したものであり、上下に開放した筒状の構造を有し、内部の上下中央部で前記開口１２の下縁に対応させて水平な区画板２０を形成するとともに、該区画板２０には中央部に前記支持板９を挿通するとともに、後述の操作レバー１９の遊端部を係止することができる挿通孔２１を形成し、更に前記開口１２に臨む内部の前側に該開口１２の上下寸法よりも短い垂直板２２を形成するとともに、該垂直板２２の下端と同一高さ位置で内奥部に前記区画板２０と平行な区画板２３を形成し、下部の区画板２０と上部の区画板２３及び垂直板２２の下端とで前記一対の作動部材１５，１６を前後スライド可能に保持するための前後に延びたガイド部１３を形成している。このように、昇降体８を一体成形することによって、成形部材同士の接合部が外面になくなり、外観性に優れたものとなる。
【００１３】
更に、前記昇降体８の上端部内には後述の角度調節用のブロック体２４を固定し、該ブロック体２４の下面を前記区画板２３の下面と垂直板２２の下端と面一に設定することよって、前記ガイド部１３が補強される。尚、前記ブロック体２４には、内部に前記支持板９を摺動可能に受け入れる摺動孔２５を上下貫通させて形成している。また、前記ブロック体２４を昇降体８に固定する構造は、前記垂直板２２に設けた係止孔２６にブロック体２４の前面下端部に設けた爪片２７を抜止め係合するとともに、ブロック体２４の後面上端部に突設した軸受部２８を前記昇降体８の上端後部に設けた一対の保持片２９，２９間に嵌合し且つ該保持片２９，２９に設けた軸孔３０，３０と軸受部２８に設けた軸孔３１とを共通孔として肘掛け部６を上下回動可能に枢支する支軸３２を挿通して連結するのである。
【００１４】
前記作動部材１５，１６は、金属板を折曲形成したものであり、連結板３３とその両側に脚板３４，３４を折曲形成した平面視コ字形の部材であり、図６に示すように、外側（前側）の作動部材１５と内側（後側）の作動部材１６は互いに逆向きにインロー関係で脚板３４，３４同士を前後に移動可能に嵌合できるものである。本実施形態では、外側の作動部材１５の両脚板３４，３４間に内側の作動部材１６の両脚板３４，３４が遊挿されるようになっている。両作動部材１５，１６は各連結板３３，３３間及び脚板３４，３４間で前記支持板９を抱持するように前記ガイド部１３内に設けるのである。そして、少なくとも外側の作動部材１５の両脚板３４，３４には前記係合ピン１４を受け入れる後方開放した長溝３５，３５を形成している。本実施形態では内側の作動部材１６の両脚板３４，３４にも、前方開放した長溝３５，３５を形成している。
【００１５】
前記操作レバー１９は、合成樹脂製で一体成形したものであり、上端部内面側に支持片３６，３６を形成し、各支持片３６には軸孔３７を形成するとともに、下端内側寄り位置に前記挿通孔２１の前縁に抜止め係止する突片３８，３８を形成し、更に背面に前記外側の作動部材１５の連結板３３に圧接する弾性片３９を形成したものである。そして、前記操作レバー１９を開口１２内に前後回動可能に取付ける構造は、前記ブロック体２４の前面上下中央部に左右一対の受板４０，４０を突設し、該受板４０，４０の外面側に形成した突軸４１，４１に、前記操作レバー１９の両支持片３６，３６に形成した軸孔３７，３７を回転可能に嵌合するものである。尚、前記突軸４１と軸孔３７との嵌合に先立って、前記突片３８，３８を挿通孔２１内に位置させる。ここで、前記突軸４１と軸孔３７との嵌合を前面側から操作レバー１９を押し込みだけで行えるように、前記突軸４１を設けた受板４０の周囲にはＵ字溝４２を形成し、突軸４１に弾性を持たせるとともに、突軸４１の前部に斜面４３を形成している。尚、前記斜面４３は、前記操作レバー１９の支持片３６，３６の先端部内側に形成しても良い。
【００１６】
また、前記支持板９の最上段の係合凹部１１は、前記係合ピン１４を前方から挿入可能なように連通溝４４で前方へ開放している。尚、前記連通溝４４は、どの係合凹部１１，…の位置でも良いが、最上段に設けることが支持板９の強度低下を最小限に抑制できるので好ましい。また、各係合凹部１１の開口部はテーパー状に面取りをして、前記係合ピン１４が係合凹部１１へ係合する際の案内と、支持板９が上下動する場合の係合ピン１４の逃がしを行えるようにしている。
【００１７】
前記弾性片３９は、前述の圧縮コイルばねに限定されるものではなく、それと同等の作用を有する合成ゴムやその他の材料で作成した圧縮に対して弾性反発力を有するものであれば採用し得るのである。
【００１８】
そして、本発明に係る肘掛け装置４を組立てるには、先ず前記昇降体８の上部にブロック体２４を前述のように取付けるが、前記肘掛け部６は該昇降体８及びブロック体２４の上端部に連結しても、連結しなくても構わない。次に、前記ガイド部１３に開口１２の前面側から弾性体１８と内側作動部材１６を内奥に挿入する。その状態で昇降体８の下方より支持アーム７の支持板９から挿入し、挿通孔２１を通して前記連通溝４４が前記ガイド部１３の中央になるように位置させる。それから、前記開口１２の前面側から係合ピン１４を外側作動部材１５の長溝３５，３５内に保持した状態で、該作動部材１５をガイド部１３内へ挿入し、係合ピン１４を連通溝４４に位置させる。そして、前記操作レバー１９の下端の突片３８，３８からガイド部１３内に挿入して前記挿通孔２１に係止しながら、上部を開口１２に押し込んで、両支持片３６，３６に形成した軸孔３７，３７をブロック体２４の両受板４０，４０に突設した突軸４１，４１に嵌着して組立てが完了する。組立状態において、前記操作レバー１９の弾性片３９が外側作動部材１５の連結板３３を押圧し、前記弾性体１８の前方への弾性付勢力に抗して係合ピン１４が係合凹部１１に位置するまで若干押し込まれる。
【００１９】
そして、前記肘掛け部６の高さを調節する場合には、図７に示すように、前記操作レバー１９の下部を開口１２内に押し込めば、前記弾性体１８の弾性付勢力に抗して更に係合ピン１４が押し込まれ、前記縦孔１０の位置に達すると、肘掛け部６を持ってその高さを調節することが可能となる。ここで、前記操作レバー１９は、その背面の弾性片３９が前記垂直板２２に当接するまで押し込むことができるが、その状態で前記係合ピン１４は、図８(a) に示すように、一部が係合凹部１１内に位置するように設定している。肘掛け部６を持って上下に移動させれば、図８(b) に示すように、前記係合ピン１４は内側作動部材１６をその弾性体１８の弾性付勢力に抗して押し込みながら縦孔１０内へ移動し、次の係合凹部１１の位置に来ると弾性体１８の弾性付勢力によって係合凹部１１内へ一部が係合する。このように、操作レバー１９を押し込みながら肘掛け部６を上下に移動させれば、各係合凹部１１と係合ピン１４が係脱を繰り返すので、肘掛け部６を持っている手にクリック感を感じるとともに、カチカチと音が発生するので、肘掛け部６の高さ調節がし易くなるのである。また、各部材の寸法のバラツキも吸収することが可能である。そして、肘掛け部６が所定の高さになると、操作レバー１９から指を離せば、弾性体１８の前方への弾性付勢力によって係合ピン１４が何れかの係合凹部１１に係合し、設定高さを維持するのである。この状態では、前記弾性体１８の弾性付勢力によって内側作動部材１６は係合ピン１４を前方へ押して係合凹部１１に弾性的に係合するとともに、操作レバー１９の突片３８，３８が挿通孔２１に当止され且つ弾性片３９が若干圧縮状態となるように設定しているので、該弾性片３９の弾性力によって外側作動部材１５が係合ピン１４に押しつけられ、各部材がガタつきなく安定する。
【００２０】
また、前記肘掛け部６に荷重がかかっている状態で、即ち荷重が昇降体８からガイド部１３、両作動部材１５，１６、係合ピン１４、係合凹部１１、支持板９を介して支持アーム７に伝達されている状態で、前記操作レバー１９が押されても、肘掛け部６にかかる荷重が大きくて前記弾性片３９の弾性復元力よりも両作動部材１５，１６とガイド部１３との間の摩擦抵抗力が大きい場合には、弾性片３９が弾性変形するだけで、係合凹部１１から係合ピン１４が外れないので安全である。尚、肘掛け部６にかかっている荷重が小さい場合、即ち肘掛け部６に凭れ掛かっている力が弱い場合には、操作レバー１９を強く押して作動部材１５，１６が移動し、係合凹部１１から係合ピン１４が外れても危険性がないのである。
【００２１】
最後に、肘掛け部６の上下角度調節機構と及び左右横移動、左右角度調節機構について図２〜図５に基づいて簡単に説明する。上下角度調節機構は、前記支持部５を構成する昇降体８の上端後部に肘掛け部６内に取付けた傾動部材４５を、前述のように水平な支軸３２にて上下傾動可能に連結するとともに、該傾動部材４５の前部に側面視へ字状の回動部材４６の中央部を回動可能に取付け、回動部材４６の前方へ延びた操作杆４７の下面に、肘掛け部６の内部に後部を枢着した操作レバー４８の中央部上面を当接させるとともに、該操作レバー４８の操作部４９を肘掛け部６の前部下面に開口した操作孔５０から露出させ、そして前記ブロック体２４の前面上端部に固定したラック部材５１の前縁に、上下に複数の係合凹部５２，…を形成するとともに、前記回動部材４６の下方へ延びた作動杆５３の先端に係止した係合ピン５４を前記係合凹部５２に係合可能となし、更に前記回動部材４６を係合ピン５４が係合凹部５２に係合する回転方向に弾性付勢してなる構造である。
【００２２】
また、肘掛け部６の左右横移動、左右角度調節機構は、前記傾動部材４５の前後端に設けた水平な保持板５５，５５をそれぞれスライダー５６，５６を介して肘掛け部６の内部上面に取付板５７，５７で横移動可能に取付け、そして前記肘掛け部６の内部上面の幅方向にガイド溝５８を設け、該ガイド溝５８に沿ってクリック部材５９を移動可能に嵌合するとともに、該クリック部材５９の下方に突設した回転軸６０を前記傾動部材４５の上面中心部の円孔６１に回転可能に嵌合した構造である。即ち、前記肘掛け部６は、回転軸６０を中心として水平に角度を調節することができるとともに、前記クリック部材５９に対してガイド溝５８をスライド移動させることにより、肘掛け部６を左右に横移動させることができるのである。
【００２３】
【発明の効果】
以上にしてなる本発明の椅子の肘掛け装置は、肘掛け部の高さ調節機構において、昇降体を筒状に一体成形できるとともに、昇降体を筒状となしても該昇降体の下方から支持アームの支持板を挿入し、また弾性体、内側作動部材、係合ピン、外側作動部材、操作レバーを昇降体の前面に設けた開口内に順次挿入するだけで組立てることができるので、その組立作業を極めて簡単にすることができ且つ製造コストの低減化を図ることができるとともに、外観性にも優れ、しかも操作レバーの操作に連動して支持部の係合凹部に対して係脱する係合ピンを、昇降体内にガタつきなく保持することができる。
【図面の簡単な説明】
【図１】本発明の肘掛け装置を適用した椅子の側面図である。
【図２】同じく肘掛け装置の縦断面図である。
【図３】同じく要部の分解斜視図である。
【図４】肘掛け部を最も低く調節した状態の部分拡大縦断面図である。
【図５】肘掛け部を高くした状態の部分拡大縦断面図である。
【図６】肘掛け装置の要部の横断面図である。
【図７】同じく要部の部分縦断面図である。
【図８】高さ調節時のクリック感を説明するための簡略説明図である。
【符号の説明】
１  脚部                  ２  座部
３  背凭れ部              ４  肘掛け装置
５  支持部                ６  肘掛け部
７  支持アーム            ８  昇降体
９  支持板                １０  縦孔
１１  係合凹部            １２  開口
１３  ガイド部            １４  係合ピン
１５  作動部材            １６  作動部材
１７  内壁                １８  弾性体
１９  操作レバー          ２０  区画板
２１  挿通孔              ２２  垂直板
２３  区画板              ２４  ブロック体
２５  摺動孔              ２６  係止孔
２７  爪片                ２８  軸受部
２９  保持片              ３０  軸孔
３１  軸孔                ３２  支軸
３３  連結板              ３４  脚板
３５  長溝                ３６  支持片
３７  軸孔                ３８  突片
３９  弾性片              ４０  受板
４１  突軸                ４２  Ｕ字溝
４３  斜面                ４４  連通溝
４５  傾動部材            ４６  回動部材
４７  操作杆              ４８  操作レバー
４９  操作部              ５０  操作孔
５１  ラック部材          ５２  係合凹部
５３  作動杆              ５４  係合ピン
５５  保持板              ５６  スライダー
５７  取付板              ５８  ガイド溝
５９  クリック部材        ６０  回転軸
６１  円孔
【図１】
0003675143.tif 000002
【図２】
0003675143.tif 000003
【図３】
0003675143.tif 000004
【図４】
0003675143.tif 000005
【図５】
0003675143.tif 000006
【図６】
0003675143.tif 000007
【図７】
0003675143.tif 000008
【図８】
0003675143.tif 000009